(57)【要約】【課題】補助容量駆動を行う液晶表示装置でのデータラインと補助容量ラインとの容量結合による画像表示不良の発生を好適に抑制する。【解決手段】液晶表示装置は、ドレインライン１４およびゲートライン１５の各交差部にそれぞれ対応して配列された複数の画素電極２１およびスイッチング素子２０、ゲートライン１５に併設された補助容量ライン１６，１７、一方の容量電極が画素電極２１に接続されるとともに他方の容量電極が補助容量ライン１６，１７に接続された補助容量２５、および補助容量ライン１６，１７に印加する電位を選択的に切り換えるスイッチング回路２６，２７を備えて構成される。ドレインライン１４を駆動するドレインドライバは、対向電極電位に対して正の極性を持った画像データ信号電位と負の極性を持った画像データ信号電位とがそれぞれ同数ずつ同時に書き込まれるようにドレインライン１４を選択して、画素電極２１への画像データ信号の供給を行う。【選択図】      図２
2006154545.tif 000002
【特許請求の範囲】
【請求項１】
互いに交差して配線されたデータラインおよびゲートラインと、それらデータラインおよびゲートラインの各交差部にそれぞれ対応して配列された複数の画素電極と、前記ゲートラインを通じた駆動信号の入力に応じて前記画素電極と前記データラインとを選択的に接続するスイッチング素子と、前記ゲートラインに併設された補助容量ラインと、一方の容量電極が前記画素電極に接続されるとともに他方の容量電極が前記補助容量ラインに接続された補助容量と、前記補助容量ラインに印加する電位を選択的に切り換える補助容量電位切換手段とを備えるとともに、隣接する前記データライン毎に、前記画素電極に供給する画像データ信号の電位を交互に逆の極性としてドット反転駆動を行うアクティブマトリクス型液晶表示装置において、
正の極性を持った画像データ信号電位と負の極性を持った画像データ信号電位とがそれぞれ同数ずつ同時に書き込まれるように前記データラインを選択して、前記画素電極への画像データ信号の供給を行うことを特徴とする液晶表示装置。
【請求項２】
前記画像データ信号を同時に供給する前記データラインを、その配列の一端から順に偶数ラインずつ選択して前記画素電極への画像データ信号の供給を行うことを特徴とする請求項１に記載の液晶表示装置。
【請求項３】
前記画像データ信号を同時に供給する前記データラインとして、その配列順序において偶数ラインの間隔をおいて配線されるデータラインを偶数ラインずつ選択して前記画素電極への画像データ信号の供給を行うことを特徴とする請求項１に記載の液晶表示装置。
【請求項４】
請求項１〜３のいずれか１項に記載の液晶表示装置において、
前記補助容量ラインに接続される、前記補助容量とは別の容量を更に備えることを特徴とする液晶表示装置。
【請求項５】
前記ゲートライン毎にそれぞれ２つの前記補助容量ラインが併設され、隣接する前記補助容量は、それら２つの補助容量ラインの一方および他方に交互に接続されてなることを特徴とする請求項１〜４のいずれか１項に記載の液晶表示装置。
【発明の詳細な説明】
【技術分野】
【０００１】
本発明は、補助容量駆動を行う液晶表示装置に関する。
【背景技術】
【０００２】
液晶ディスプレイは、僅かな隙間を持たせた２枚のガラス基板間に、電圧に応答して光透過量の変化する液晶材料を封入し、画素毎に印加する電圧を制御することで、画像表示を行っている。こうした液晶材料は、同一の極性の電位が繰り返し印加されると劣化してしまうため、多くの液晶表示装置では、液晶材料の劣化を防止すべく、画素電極に印加する電位の極性を周期的に反転する反転駆動を行っている。
【０００３】
反転駆動の方式としては、画素電極に印加する電位をゲートライン毎に交互に逆の極性とするライン反転駆動方式と、画素配列の行方向および列方向の双方において、画素電極に印加する電位を交互に逆の極性とするドット反転駆動方式とが知られている。ライン反転駆動方式では、同一のゲートラインに接続された画素電極のすべてに同じ極性の電位が印加されるため、画像データ信号の電位振幅を比較的小さくすることができる。その反面、ライン反転駆動方式では、フリッカーノイズに弱く、低周波数駆動を行うことが困難となっている。これに対してドット反転駆動方式では、同一のゲートラインに接続される画素電極でも交互に逆の極性の電位が印加されるため、フリッカーノイズには強いものの、画像データ信号の電位振幅の増大は避け難く、消費電力の低減は困難となっていた。
【０００４】
そこで従来、例えば特許文献１および特許文献２に見られるように、ドット反転駆動を行いつつも、画像データ信号の電位振幅を縮小可能な液晶表示装置が提案されている。この液晶表示装置では、一方の容量電極が画素電極に接続された補助容量を設けるとともに、その他方の容量電極に印加する電位を、画素電極への画像データ信号電位の書き込み後に変化させる補助容量駆動を行うことで、画像データ信号の電位振幅の縮小を図っている。
【０００５】
ここではまず、図７を参照して、そうした補助容量駆動を行う液晶表示装置の構成を説明する。
同図に示すように、この液晶表示装置の画像表示部には、画素電極に画像データ信号を供給するデータラインたるドレインライン１００と、ゲートライン１０１とが互いに交差するように配置されている。それらドレインライン１００およびゲートライン１０１の各交差部には、例えば薄膜トランジスタ（ＴＦＴ：Ｔｈｉｎ  Ｆｉｌｍ  Ｔｒａｎｓｉｓｔｏｒ）等のスイッチング素子１０２と画素電極１０３ａ，ｂとがそれぞれ設置されている。スイッチング素子１０２のゲートはゲートライン１０１に、そのソースは画素電極１０３ａ，ｂに、そのドレインはドレインライン１００にそれぞれ接続されている。なお図示しない対向基板側には、画素電極１０３ａ，ｂに対して上記液晶材料を挟んで対向される対向電極が配置されており、画素電極１０３ａ，ｂと対向電極とによって液晶容量が形成されるようになっている。
【０００６】
更にこの液晶表示装置では、上記ゲートライン１０１のそれぞれに対して、第１および第２の補助容量ライン１１０，１１１が併設されている。また上記交差部には更に、補助容量１１２がそれぞれ設置されている。補助容量１１２は、その一方の容量電極が上記画素電極１０３ａ，１０３ｂに接続されており、もう一方の容量電極が第１および第２の補助容量ライン１１０，１１１のいずれか一方に接続されている。詳しくは、画素配列の行方向および列方向の双方について、補助容量１１２の接続される補助容量ライン１１０が交互に入れ替えられている。すなわち、ある画素電極１０３ａの補助容量１１２が第１の補助容量ライン１１０に接続されているとすると、その上下左右にそれぞれ隣接して配置される各画素電極１０３ｂの補助容量１１２は第２の補助容量ライン１１１に接続されるようになっている。
【０００７】
なお各補助容量ライン１１０，１１１は、補助容量ドライバ１１３にそれぞれ接続されている。補助容量ドライバ１１３は、補助容量ライン１１０，１１１に印加する電位を選択的に切り換えるスイッチング回路を備えて構成されている。
【０００８】
次に、こうした液晶表示装置における各画素電極１０３ａ，ｂの駆動態様を、図８を併せ参照して説明する。
図８（Ａ）は、第１の補助容量ライン１１０に接続された補助容量１１２の配設された画素電極１０３ａについて、その画素電極１０３ａに供給される画像データ信号の電位の極性が正となる所定のフレームにおける駆動態様を示している。
【０００９】
同図（Ａ）に示すように、ゲートライン１０１の電位であるゲート電位Ｖｇは、１フレーム間に１回ずつ、低電位のレベルＬｏｗから高電位のレベルＨｉｇｈへと立ち上げられる。そしてゲート電位Ｖｇは、一定期間、レベルＨｉｇｈに保持された後、再びレベルＬｏｗに立ち下げられる。同図（Ａ）では、ゲート電位Ｖｇは、時刻ｔ１から時刻ｔ２までレベルＨｉｇｈに保持されている。
【００１０】
時刻ｔ１にゲート電位ＶｇがレベルＨｉｇｈに立ち上げられると、それによりスイッチング素子１０２のソース・ドレイン間が導通され、ドレインライン１００に供給された画像データ信号が画素電極１０３ａに供給される。これにより、画素電極１０３ａの電位である画素電位Ｖｐは、画像データ信号の電位である画像データ信号電位Ｖｄと同レベルまで上昇される。
【００１１】
時刻ｔ２においてゲート電位ＶｇがレベルＬｏｗに立ち下げられると、上記スイッチング素子１０２のソース・ドレイン間の導通が切断される。このときのゲート電位Ｖｇの立ち下げに伴い、上記画像データ信号電位Ｖｄと同じレベルまで引き上げられた画素電位Ｖｐは、ΔＶｓだけ降下されるようになる。なお対向電極の電位（対向電極電位Ｖｃｏｍ）は、常に一定に固定されているが、その固定電位は、画像データ信号電位ＶｄのセンターレベルＶｃに対して、上記ゲート電位Ｖｇの立ち下げに伴う画素電位Ｖｐの降下分ΔＶｓだけ低いレベルに予め設定されている（Ｖｃｏｍ＝Ｖｃ−ΔＶｓ）。
【００１２】
こうしたゲート電位Ｖｇの立ち下げ直後の時刻ｔ３には、各補助容量ライン１１０，１１１に印加される電位である補助容量電位Ｖｓｃが反転される。補助容量電位Ｖｓｃは、上記対向電極電位Ｖｃｏｍよりも電位の高いレベルＶｓｃｈと、同対向電極電位Ｖｃｏｍよりも電位の低いレベルＶｓｃｌとのいずれかに設定されるようになっている。なお上記第１の補助容量ライン１１０と第２の補助容量ライン１１１とでは、常に異なるレベルの補助容量電位Ｖｓｃが印加されるようになっている。すなわち、第１の補助容量ライン１１０にレベルＶｓｃｈの電位が印加されるときには、第２の補助容量ライン１１１にはレベルＶｓｃｌの電位が印加される。また第１の補助容量ライン１１０にレベルＶｓｃｌの電位が印加されているときには、第２の補助容量ライン１１１にはレベルＶｓｃｈの電位が印加される。
【００１３】
画素電極１０３ａに正極性の画像データ信号の供給されるフレームでは、上記時刻ｔ３に補助容量電位Ｖｓｃは、レベルＶｓｃｌからレベルＶｓｃｈへと立ち上げられる。このときの補助容量電位Ｖｓｃの立ち上げに伴い、上記液晶容量と補助容量１１２との間で電荷の再配分が行われる。そしてその影響で画素電位ＶｐがΔＶｐだけ上昇されるようになる。ここで上昇された画素電位Ｖｐは、次回のフレームでゲート電位Ｖｇが再び立ち上げられるまで保持される。
【００１４】
一方、図８（Ｂ）は、図８（Ａ）と同じフレームにおける、第２の補助容量ライン１１１に接続された補助容量１１２の配設された画素電極１０３ｂの駆動態様を示している。この画素電極１０３ｂでは、同フレームには、負の極性の電位を有する画像データ信号が供給される。
【００１５】
この場合も、時刻ｔ１にゲート電位ＶｇがレベルＨｉｇｈに立ち上げられると、スイッチング素子１０２のソース・ドレイン間が導通され、ドレインライン１００に供給された画像データ信号が画素電極１０３ｂに供給される。そしてこれにより、画素電位Ｖｐは、画像データ信号電位Ｖｄと同レベルまで降下される。
【００１６】
時刻ｔ２にゲート電位ＶｇがレベルＬｏｗに立ち下げられると、上記スイッチング素子１０２のソース・ドレイン間の導通が切断される。そしてそのときのゲート電位Ｖｇの立ち下げに伴い、上記画像データ信号電位Ｖｄと同レベルに降下された画素電位Ｖｐは、更にΔＶｓだけ降下される。
【００１７】
この画素電極１０３ｂでは、その直後の時刻ｔ３に、補助容量電位Ｖｓｃは、レベルＶｓｃｈからレベルＶｓｃｌへと立ち下げられる。そしてこれに伴う上記液晶容量、補助容量１１２間の電荷の再配分を通じて、画素電位ＶｐはΔＶｐだけ更に降下され、次回のフレームでゲート電位Ｖｇが再び立ち上げられるまで保持される。
【００１８】
各画素電極１０３ａ，ｂでは、次のフレームでは、供給される画像データ信号の電位の極性が反転される。このときの各画素電極１０３ａ，ｂの駆動態様は、前回のフレームとは反対となる。すなわち、このときの画素電極１０３ａは、図８（Ｂ）に示される態様で駆動され、画素電極１０３ｂは図８（Ａ）に示される態様で駆動される。
【００１９】
以上説明したような補助容量駆動を行う液晶表示装置では、各補助容量ライン１１０，１１１に印加される電位の極性反転を通じて、画素電位Ｖｐが増幅されている。これにより、画像データ信号の電位レベルがある程度小さくとも、表示中の画素電極１０３ａ，ｂの電位を十分高いレベルに保持可能となる。そのため、こうした補助容量駆動を行う液晶表示装置では、ドット反転駆動を行いながらも、水平走査中の画像データ信号の電位振幅を縮小して、消費電力を低減することができる。
【特許文献１】特開２０００−８１６０６号公報
【特許文献２】特開２００３−１５０１２７号公報
【発明の開示】
【発明が解決しようとする課題】
【００２０】
ところで上記のような補助容量駆動を行う液晶表示装置では、上記ドレインライン１００と上記各補助容量ライン１１０，１１１とが交差して配線されることから、それらの交差部に寄生容量が形成されてしまい、それらのライン間に容量結合が発生してしまう。そのため、画像データ信号の供給に伴うドレインライン１００の電位変化に応じて、各補助容量ライン１１０，１１１の補助容量電位Ｖｓｃに変動が生じてしまうようになる。
【００２１】
一方、上記のように各補助容量ライン１１０，１１１は、補助容量ドライバ１１３にそれぞれ接続されている。補助容量ドライバ１１３は、各補助容量ライン１１０，１１１に印加する電位を上記レベルＶｓｃｈとレベルＶｓｃｌとの間で切り換えるスイッチング回路により構成されている。こうした補助容量ドライバ１１３のスイッチング回路には、上述した補助容量電位Ｖｓｃの極性反転を行うために高い駆動能力が必要とされるが、その分、スイッチング回路のインピーダンスは高くなってしまう。そのため、そうしたスイッチング回路に接続された各補助容量ライン１１０，１１１は、高いインピーダンスを有している。そうしたインピーダンスの高い補助容量ライン１１０，１１１では、電位変動が一旦生じると、比較的長い期間、その影響が残るようになる。こうした補助容量ライン１１０，１１１の電位変動は、ドレインライン１００を通じて各画素電極１０３ａ，ｂに供給される画像データ信号の電位や画素電極１０３ａ，ｂの電位に影響を与え、画像の表示不良を生じさせる虞がある。
【００２２】
本発明は、こうした実情に鑑みてなされたものであって、その解決しようとする課題は、補助容量駆動を行う液晶表示装置でのデータラインと補助容量ラインとの容量結合による画像表示不良の発生を好適に抑制することにある。
【課題を解決するための手段】
【００２３】
以下、上記課題を解決するための手段、及びその作用を記載する。
請求項１に記載の発明は、互いに交差して配線されたデータラインおよびゲートラインと、それらデータラインおよびゲートラインの各交差部にそれぞれ対応して配列された複数の画素電極と、前記ゲートラインを通じた駆動信号の入力に応じて前記画素電極と前記データラインとを選択的に接続するスイッチング素子と、前記ゲートラインに併設された補助容量ラインと、一方の容量電極が前記画素電極に接続されるとともに他方の容量電極が前記補助容量ラインに接続された補助容量と、前記補助容量ラインに印加する電位を選択的に切り換える補助容量電位切換手段とを備えるとともに、隣接する前記データライン毎に、前記画素電極に供給する画像データ信号の電位を交互に逆の極性としてドット反転駆動を行うアクティブマトリクス型液晶表示装置において、正の極性を持った画像データ信号電位と負の極性を持った画像データ信号電位とがそれぞれ同数ずつ同時に書き込まれるように前記データラインを選択して、前記画素電極への画像データ信号の供給を行うことをその要旨とする。
【００２４】
上記構成では、対向電極電位に対して正の極性を持った画像データ信号と負の極性を持った画像データ信号とが同数となるようにデータラインを選択して、画素電極への画像データ信号の同時供給が行われる。この場合にも、画像データ信号の供給中のデータラインと補助容量ラインの交差部の容量結合により、補助容量ラインに局所的な電位変動が生じることになる。詳しくは、正の極性を持った画像データ信号を供給するデータラインとの交差部では、高電位側への局所的な電位変動が生じ、負の極性を持った画像データ信号を供給するデータラインとの交差部では、低電位側への局所的な電位変動が生じるようになる。このとき上記構成では、高電位側への局所的な電位変動の生じる交差部の数と、低電位側への局所的な電位変動の生じる交差部の数とが同じとなる。そのため、高電位側への電位変動の影響と低電位側への電位変動の影響とが互いに相殺されて平滑化されるようになり、補助容量ライン全体での電位変動は低く抑えられるようになる。
【００２５】
かかる態様での画像データ信号の同時供給は、請求項２に記載のように、前記画像データ信号を同時に供給する前記データラインを、その配列の一端から順に偶数ラインずつ選択して前記画素電極への画像データ信号の供給を行うことで実現することができる。
【００２６】
また請求項３に記載のように、前記画像データ信号を同時に供給する前記データラインとして、その配列順序において偶数ラインの間隔をおいて配線されるデータラインを偶数ラインずつ選択して前記画素電極への画像データ信号の供給を行うことでもその実現は可能である。
【００２７】
これら以外にも、正の極性を持った画像データ信号電位と負の極性を持った画像データ信号電位とがそれぞれ同数ずつ同時に書き込まれるようなデータラインの選択態様は多数存在する。そうした他の選択態様でも、上記のような画像データ供給時の容量結合による補助容量ラインの電位変動を抑制することは可能である。
【００２８】
更に請求項４に記載の発明は、請求項１〜３のいずれか１項に記載の液晶表示装置において、前記補助容量ラインに接続される、前記補助容量とは別の容量を更に備えることをその要旨とする。同構成では、接続された上記別の容量の分だけ補助容量ライン全体のキャパシタンスが高くなることから、データラインとの容量結合に起因した局所的な電位変動が生じても、それに伴う補助容量ライン全体の電位変動は低く抑えられるようになる。
【００２９】
なお上記各構成は、請求項５に記載のような、前記ゲートライン毎にそれぞれ２本の前記補助容量ラインが併設され、隣接する前記補助容量は、それら２本の補助容量ラインの一方および他方に交互に接続されてなる液晶表示装置への適用がより好適である。
【発明の効果】
【００３０】
本発明によれば、補助容量駆動を行う液晶表示装置でのデータラインと補助容量ラインとの容量結合による画像表示不良の発生を好適に抑制することができる。
【発明を実施するための最良の形態】
【００３１】
（第１の実施形態）
以下、本発明の液晶表示装置を具体化した一実施形態を、図１〜図５を参照して詳細に説明する。本実施形態では、補助容量駆動を行う液晶表示装置において、画像データ信号電位への書き込み態様の設定を通じて、上述したデータライン・補助容量ライン間の容量結合に起因した画像表示不良の発生を抑制するようにしている。
【００３２】
図１は、そうした本実施形態の液晶表示装置の全体構造を示している。同図に示すように本実施形態の液晶表示装置の液晶パネル１０には、画像表示部１１、ドレインドライバ１２、ゲートドライバ１３および補助容量ドライバ１８が配置されている。
【００３３】
画像表示部１１には、画素電極に画像データ信号を供給するデータラインとしての複数のドレインライン１４と、複数のゲートライン１５とが互い交差するように配設されている。更に各ゲートライン１５には、第１および第２の補助容量ライン１６，１７が併設されている。ドレインライン１４はドレインドライバ１２に、ゲートライン１５はゲートドライバ１３に、第１および第２の補助容量ライン１６，１７は補助容量ドライバ１８に、それぞれ接続されている。
【００３４】
ドレインドライバ１２には、液晶パネル１０の外部から水平スタート信号ＳＴＨ、水平クロック信号ＣＫＨおよびビデオ信号ＶＤが入力されている。そしてドレインドライバ１２は、水平スタート信号ＳＴＨの入力に応じ、水平クロック信号ＣＫＨのクロックに同期してビデオ信号ＶＤから各ドレインライン１４に供給すべき画像データのサンプリングを順次に実行する。そしてドレインドライバ１２は、そのサンプリングされた画像データに応じた画素電極への書き込み信号、すなわち画像データ信号を、予め定められた態様で各ドレインライン１４に順次に供給する。
【００３５】
なおドレインドライバ１２は、ドレインライン１４に対して、その配列順に交互に極性を逆にした画像データ信号を供給するようにしている。すなわち、あるドレインライン１４に正の極性を持った画像データ信号が供給される場合には、その両側に隣接して配線された両ドレインライン１４には負の極性を持った画像データ信号が供給される。またドレインドライバ１２は、各ドレインライン１４に供給される画像データ信号の極性を、フレーム毎に交互に反転させている。こうしてこの液晶表示装置では、画素電極のドット反転駆動を行うようにしている。
【００３６】
一方、ゲートドライバ１３には、液晶パネル１０の外部から垂直スタート信号ＳＴＶおよび垂直クロック信号ＣＫＶが入力されている。そしてゲートドライバ１３は、垂直スタート信号ＳＴＶの入力に応じ、最上段のゲートライン１５から最下段側に向けて、垂直クロック信号ＣＫＶのクロックに同期して、ゲート信号を順次に印加する。
【００３７】
補助容量ドライバ１８は、第１の補助容量ライン１６および第２の補助容量ライン１７に、補助容量電位Ｖｓｃ１，Ｖｓｃ２を印加する。また補助容量ドライバ１８は、印加する補助容量電位Ｖｓｃ１，Ｖｓｃ２を、例えば対向電極の固定電位である対向電極電位Ｖｃｏｍよりも高電位のレベルＶｓｃｈと同対向電極電位Ｖｃｏｍよりも低電位のレベルＶｓｃｌとの間で選択的に切り換え可能に構成されている。なおこれら各電位（Ｖｓｃ１，Ｖｓｃ２，Ｖｃｏｍ）の大小関係は必ずしもこのように限定されるものではない。
【００３８】
図２は、上記画像表示部１１および補助容量ドライバ１８の回路構成を示している。
ドレインライン１４およびゲートライン１５の各交差部には、例えば上記ＴＦＴ等のスイッチング素子２０および画素電極２１が設置されている。スイッチング素子２０のゲートはゲートライン１５に、そのソースは画素電極２１に、そのドレインはドレインライン１４にそれぞれ接続されている。液晶材料を挟んで画素電極２１に対向される対向基板には、対向電極２２が配置され、各対向電極２２は、上記対向電極電位Ｖｃｏｍの印加されたコモンライン２３にそれぞれ接続されている。そしてそれら画素電極２１と対向電極２２とによって液晶容量２４が形成されている。
【００３９】
各画素電極２１には、補助容量２５が配設されている。補助容量２５は、一方の容量電極を画素電極２１に接続し、また他方の容量電極を第１および第２の補助容量ライン１６，１７のいずれかに接続して構成されている。補助容量２５に接続される補助容量ライン１６，１７は、画素配列の行方向および列方向の双方について、交互に入れ替えられている。
【００４０】
なおこの画像表示装置では、ゲートライン１５上には、赤（Ｒ）、緑（Ｇ）、青（Ｂ）の各色に対応した画素電極２１が順次並んで配置されている。そしてそれら３色の画素電極２１を一組として、１つの画素が形成されている。
【００４１】
また同図に併せ示すように、補助容量ドライバ１８には、第１の補助容量ライン１６に接続される第１のスイッチング回路２６および第２の補助容量ライン１７に接続される第２のスイッチング回路２７が配置されている。これらスイッチング回路２６，２７は、各補助容量ライン１６，１７に対して、上記高電位側のレベルＶｓｃｈおよび低電位側のレベルＶｓｃｌのいずれかの電位を選択的に印加するように構成されている。
【００４２】
続いて、以上のように構成された液晶表示装置の動作態様を、図３を併せ参照して説明する。なお図３には、垂直スタート信号ＳＴＶ、垂直クロック信号ＣＫＶ、最上段から１〜３行目のゲートライン１５の各電位（ゲート電位Ｖｇ１〜Ｖｇ３）および第１および第２の補助容量ライン１６，１７の各電位（補助容量電位Ｖｓｃ１，Ｖｓｃ２）の出力態様が示されている。
【００４３】
垂直スタート信号ＳＴＶのパルスが立ち上がると、今回のフレームにおける画像表示が開始される。そしてその後の垂直クロック信号ＣＫＶのパルスの最初の立ち上げに応じて、１行目のゲートライン１５の電位であるゲート電位Ｖｇ１が低電位のレベルＬｏｗから高電位のレベルＨｉｇｈへと立ち上げられる。これにより、その１行目のゲートライン１５上に配置にされた各画素電極２１のスイッチング素子２０のソース・ドレイン間が導通される。すなわち本実施形態では、こうしてレベルＨｉｇｈに立ち上げられたゲート電位が、データラインたるドレインライン１４と画素電極２１とを接続すべくゲートライン１５を通じてスイッチング素子２０に印加される駆動電位となっている。
【００４４】
こうしたゲート電位Ｖｇ１の立ち上げ期間には、１行目のゲートライン１５に接続された各画素電極２１に対し、ドレインライン１４を通じて画像データ信号電位Ｖｄの書き込みが順次に行われる。このとき、補助容量２５が第１の補助容量ライン１６に接続された画素電極２１には、正の極性を持った画像データ信号が供給され、同補助容量２５が第２の補助容量ライン１７に接続された画素電極２１には、負の極性を持った画像データ信号が供給される。そしてその完了後、ゲート電位Ｖｇ１は再びレベルＬｏｗへと立ち下げられる。
【００４５】
ゲート電位Ｖｇ１の立ち下げの直後には、補助容量電位Ｖｓｃ１，Ｖｓｃ２が変化される。ここでは、第１の補助容量ライン１６の電位である補助容量電位Ｖｓｃ１は、より低電位のレベルＶｓｃｌからより高電位のレベルＶｓｃｈに変化され、第２の補助容量ライン１７の電位である補助容量電位Ｖｓｃ２は、より高電位のレベルＶｓｃｈからより低電位のレベルＶｓｃｌに変化されている。こうした補助容量電位Ｖｓｃ１，Ｖｓｃ２の変化により、液晶容量２４と補助容量２５との間で電荷の再分配が生じて、画素電位Ｖｐが高電位側または低電位側にシフトされるようになる。そしてその結果、各画素電極２１にチャージされた画素電位Ｖｐのレベルが増幅されることになる。ここで増幅された画素電位Ｖｐは、次回のゲート電位Ｖｇ１の立ち上げまで、すなわち１フレーム期間、画素電極２１に保持される。
【００４６】
続く垂直クロック信号ＣＫＶのパルスの立ち下げに応じては、２行目のゲートライン１５の電位であるゲート電位Ｖｇ２がレベルＬｏｗからレベルＨｉｇｈに立ち上げられる。そしてその２行目のゲートライン１５上の各画素電極２１のスイッチング素子２０のソース・ドレイン間が導通され、それら画素電極２１に対してドレインライン１４を通じて画像データ信号電位Ｖｄの書き込みが順次に行われる。その後、ゲート電位Ｖｇ２はレベルＬｏｗに立ち下げられ、その直後には、補助容量電位Ｖｓｃ１，Ｖｓｃ２が変化される。このときには補助容量電位Ｖｓｃ１は、より高電位のレベルＶｓｃｈからより低電位のレベルＶｓｃｌに変化され、また補助容量電位Ｖｓｃ２は、より低電位のレベルＶｓｃｌからより高電位のレベルＶｓｃｈに変化されている。
【００４７】
更に続く垂直クロック信号ＣＫＶのパルスの立ち上げに応じては、３行目のゲートライン１５の電位であるゲート電位Ｖｇ３がレベルＨｉｇｈに立ち上げられる。そしてその後は、上記と同様の態様にて、各ゲートライン１５についての画像表示動作が順次に行われることになる。
【００４８】
さて本実施形態の液晶表示装置では、正の極性を持った画像データ信号電位Ｖｄと負の極性を持った画像データ信号電位Ｖｄとがそれぞれ同数ずつ同時に書き込まれるようにドレインライン１４を選択して、上記ゲート電位の立ち上げ期間における画素電極２１への画像データ信号電位Ｖｄの書き込みを行うようにしている。この場合にも、ドレインライン１４と各補助容量ライン１６，１７の交差部では、容量結合が発生して、補助容量ライン１６，１７に局所的な電位変動が生じることになる。詳しくは、正の極性を持った画像データ信号を供給するドレインライン１４との交差部では、高電位側への局所的な電位変動が生じ、負の極性を持った画像データ信号を供給するドレインライン１４との交差部では、低電位側への局所的な電位変動が生じるようになる。
【００４９】
このとき本実施形態では、局所的な高電位側への電位変動の生じる交差部の数と、局所的な低電位側への電位変動の生じる交差部の数とが同じとなる。そのため、高電位側への電位変動の影響と低電位側への電位変動の影響とが互いに相殺されて平滑化されるため、補助容量ライン１６，１７の全体での電位変動は低く抑えられるようになる。
【００５０】
その理由は、詳しくは次の通りである。
ここで正の極性を持った画像データ信号を供給するドレインライン１４と補助容量ライン１６，１７との交差部の数をｎ個とし、またそうした各交差部での容量結合に形成される寄生容量をＣｐａとし、更に各ドレインライン１４の電位変動量をそれぞれΔＶＵ１，ΔＶＵ２・・・ΔＶＵｎとする。また負の極性を持った画像データ信号を供給するドレインライン１４と補助容量ライン１６，１７との交差部の数をｍ個とし、またそうした各交差部での容量結合に形成される寄生容量をＣｐａとし、更に各ドレインライン１４の電位変動量をそれぞれΔＶＵ１，ΔＶＵ２・・・ΔＶＵｎとする。
【００５１】
このとき、補助容量ライン１６，１７全体の容量をＣａｌｌとすると、これらドレインライン１４と補助容量ライン１６，１７の容量結合による補助容量ライン１６，１７全体の電位変動量ΔＶｓｃは、以下の式で与えられる。
【００５２】
ΔＶｓｃ＝｛（ΔＶＵ１＋ΔＶＵ２＋…＋ΔＶＵｎ
＋ΔＶＤ１＋ΔＶＤ２＋…＋ΔＶＤｍ）・Ｃｐａ｝／Ｃａｌｌ
ここで高電位側に電位変動の生じる各交差部の電位変動量ΔＶＵ１，ΔＶＵ２・・・ΔＶＵｎの平均値をΔＶＵａｖｅとし、低電位側に電位変動の生じる各交差部の電位変動量ΔＶＤ１，ΔＶＤ２・・・ΔＶＤｍの平均値をΔＶＤａｖｅとする。これら平均値ΔＶＵａｖｅ，ΔＶＤａｖｅを用いると、補助容量ライン１６，１７全体の電位変動量ΔＶｓｃは、以下の式で与えられる。
【００５３】
ΔＶｓｃ＝（ｎ・ΔＶＵａｖｅ＋ｍ・ΔＶＤａｖｅ）・Ｃｐａ／Ｃａｌｌ
一方、本実施形態では、同時に供給される正の極性を持った画像データ信号の数と負の極性を持った画像データ信号の数とが等しくされており（ｎ＝ｍ）、また平均的な画像では、ΔＶＵａｖｅ≒−ΔＶＤａｖｅとなる。そのため、平均的な画像を表示するときの本実施形態の画像表示装置における補助容量ライン１６，１７全体の電位変動量ΔＶｓｃは、ほぼ零となる（ΔＶｓｃ≒０）。
【００５４】
こうした態様での画像データ信号電位Ｖｄの書き込みは、具体的には、例えば以下の態様で行うことができる。
図４は、サンプリング順に画像データ信号電位の書き込みを行うスキャン方式にて画素電極２１への画像データ信号電位Ｖｄの書き込みを行う場合の一例を示している。こうしたスキャン方式の場合には、画像データ信号を同時に供給するドレインライン１４を、その最左列（配列の一端）から順に偶数ラインずつ選択することで、同時に書き込まれる正の極性を持った画像データ信号電位Ｖｄと負の極性を持った画像データ信号電位Ｖｄとを同数とすることができる。
【００５５】
同図に示す画像データ信号電位の書き込み態様例では、最左列から順に６ラインずつドレインライン１４を選択して、画像データ信号を同時供給させるようにしている。この場合には、最初のステップには、同図（Ａ）に示すように、１〜６ライン目のドレインライン１４による画像データ信号の供給が同時に行われる。そして以降の書き込み態様を同図（Ｂ）〜（Ｅ）に示すように、２ステップ目には７〜１２ライン目の、３ステップ目には１３〜１８ライン目の、４ステップ目には１９〜２４ライン目の、５ステップ目には２５〜３０ライン目のドレインライン１４による画像データ信号の同時供給をそれぞれ行うようにしている。
【００５６】
図５は、水平周期内のすべての画像データをサンプリングした後にその書き込みを行うマルチプレクサ方式にて画素電極２１への画像データ信号電位Ｖｄの書き込みを行う場合の一例を示している。こうしたマルチプレクサ方式の場合、画像データ信号を同時に供給するドレインライン１４として、その配列順序において偶数ラインの間隔をおいて配線されるドレインライン１４を偶数ラインずつ選択することで、同時に書き込まれる正の極性を持った画像データ信号電位Ｖｄと負の極性を持った画像データ信号電位Ｖｄとを同数とすることができる。
【００５７】
同図に示す画像データ信号電位の書き込み態様例では、８ラインずつ間隔をおいてそれぞれ配線された６ラインのドレインライン１４を選択して、画像データ信号を同時供給させるようにしている。この場合には、最初のステップには、同図（Ａ）に示すように、１ライン目、９ライン目、１７ライン目、２５ライン目、３３ライン目および４１ライン目のドレインライン１４による画像データ信号の同時供給が行われる。そして２ステップ目には、同図（Ｂ）に示すように、２ライン目、１０ライン目、１８ライン目、２６ライン目、３４ライン目および４２ライン目と、最初のステップから右側に１ステップずつシフトしたドレインライン１４による画像データ信号の同時供給が行われる。そして３ステップ目以降の書き込み態様を同図（Ｃ）〜（Ｅ）に示すように、選択するドレインライン１４を順次右側に１ラインずつシフトしつつ、画像データ信号の同時供給を行うようにしている。
【００５８】
同時に供給される正の極性を持った画像データ信号と負の極性を持った画像データ信号とを同数とするドレインライン１４の選択態様は、ここで例示した以外にも多数存在する。そうした他の選択態様でも、上記のような画像データ供給時の容量結合による補助容量ライン１６，１７の電位変動を抑制することは可能である。
【００５９】
ちなみに、ドレインライン１４のライン数によっては、正、負の極性を持った画像データ信号を同数とすべく、画像データ信号を同時供給するドレインライン１４を選択していくと、端数が生じてしまい、すべてのステップでは、正、負の極性を持った画像データ信号を同数とすることができないことがある。特にゲートライン１５に接続される画素電極２１が奇数となる場合には、逆の極性を持った画像データ信号と対にすることのできない、余剰となる画像データ信号が１つ生じてしまう。そうした場合にも、可能な限り、正、負の極性を持った画像データ信号が同数ずつとなるように、画像データ信号の同時供給を行うドレインライン１４を選択するようにすれば、上述したようなドレインライン１４と補助容量ライン１６，１７との容量結合による画像表示不良の発生を十分に抑制することができる。
【００６０】
なおこうした本実施形態では、上記補助容量ドライバ１８の各スイッチング回路２６，２７が、上述の補助容量ラインに印加される電位を選択的に切り換える補助容量電位切換手段に対応する構成となっている。
【００６１】
以上説明した本実施形態の液晶表示装置によれば、次の効果を奏することができる。
（１）本実施形態では、正の極性を持った画像データ信号と負の極性を持った画像データ信号とをそれぞれ同数ずつ同時に供給するようにドレインライン１４を選択して画素電極２１への画像データ信号の供給を行っている。そのため、ドレインライン１４と補助容量ライン１６，１７との容量結合による高電位側、低電位側の局所的な電位変動を互いに相殺させて、補助容量ライン１６，１７の全体での電位変動を低く抑えることができる。そのため、そうした容量結合による画像表示不良の発生を好適に抑制することができる。
【００６２】
（第２の実施形態）
続いて、本発明の液晶表示装置を具体化した第２実施形態を、図６を併せ参照して、上記実施形態と異なる点を中心に説明する。本実施形態では、上記のような画像データ信号電位の書き込み態様の設定に加え、更に回路構造の簡易な変更を通じて、容量結合による補助容量ラインの電位変動の更なる抑制を図るようにしている。
【００６３】
図６は、そうした本実施形態の液晶表示装置における画像表示部の回路構造を示している。同図に示すように本実施形態の液晶表示装置では、第１および第２の補助容量ライン１６，１７にそれぞれ接続される、補助容量２５とは別の容量３０，３１を更に設置するようにしている。
【００６４】
こうした容量３０，３１を接続すれば、各補助容量ライン１６，１７全体のキャパシタンスがその分高められるため、上述したようなドレインライン１４との容量結合による電位変動は低く抑えられるようになる。
【図面の簡単な説明】
【００６５】
【図１】本発明にかかる液晶表示装置の第１実施形態についてその全体構造を示す模式図。
【図２】同液晶表示装置の画像表示部および補助容量ドライバの回路構成を示す回路図。
【図３】同液晶表示装置の駆動態様例を示すタイミングチャート。
【図４】（Ａ）〜（Ｅ）同液晶表示装置における画像データ信号の供給態様の一例を示す図。
【図５】（Ａ）〜（Ｅ）同液晶表示装置における画像データ信号の供給態様の他の例を示す図。
【図６】本発明に係るアクティブマトリクス型液晶表示装置の第２実施形態についてその全体構造を示す模式図。
【図７】従来の液晶表示装置の一構成例についてその全体構造を示す模式図。
【図８】（Ａ）（Ｂ）同液晶表示装置における各画素の駆動態様例を示すタイミングチャート。
【符号の説明】
【００６６】
１０…液晶パネル、１１…画像表示部、１２…ドレインドライバ、１３…ゲートドライバ、１４…ドレインライン、１５…ゲートライン、１６…第１の補助容量ライン、１７…第２の補助容量ライン、１８…補助容量ドライバ、２０…スイッチング素子、２１…画素電極、２２…対向電極、２３…コモンライン、２４…液晶容量、２５…補助容量、２６…第１のスイッチング回路（補助容量電位切換手段）、２７…第２のスイッチング回路（補助容量電位切換手段）、３０，３１…容量。
【図１】
2006154545.tif 000003
【図２】
2006154545.tif 000004
【図３】
2006154545.tif 000005
【図４】
2006154545.tif 000006
【図５】
2006154545.tif 000007
【図６】
2006154545.tif 000008
【図７】
2006154545.tif 000009
【図８】
2006154545.tif 000010